(57)【特許請求の範囲】
【請求項１】
機器筐体を挟んで保持する第１の保持部と第２の保持部を備えるアタッチメントであって、
前記機器筐体を挟む方向に付勢する弾性部材が前記第２の保持部に備えられており、
前記弾性部材は、前記第２の保持部から前記第１の保持部の方向に延びる一対の立ち上がり部を有し、前記一対の立ち上がり部の間に前記機器筐体を挟み込んで保持することを特徴とするアタッチメント。
【請求項２】
装着台にねじ止めするねじ穴を有し、当該アタッチメントの前記ねじ穴による前記装着台へのねじ止めにより、前記機器筐体を挟む保持力を高めることを特徴とする請求項１に記載のアタッチメント。
【請求項３】
前記弾性部材は、前記第２の保持部と前記機器筐体との間に介装されることを特徴とする請求項１又は２に記載のアタッチメント。
【請求項４】
前記第１の保持部と前記第２の保持部で前記機器筐体を挟み込む方向と、前記一対の立ち上がり部の間で前記機器筐体を挟み込む方向は、異なることを特徴とする請求項１乃至３の何れか一項に記載のアタッチメント。
【請求項５】
前記弾性部材は、前記第２の保持部に一体に形成されていることを特徴とする請求項１に記載のアタッチメント。
【発明の詳細な説明】
【技術分野】
【０００１】
本発明は、装着台にねじ止めするねじ穴を有し、機器筐体を挟んで保持するアタッチメントに関する。
【背景技術】
【０００２】
特許文献１において、携帯電話や携帯情報端末をアタッチメントに挟んで保持し、そのアタッチメントを三脚等の装着台にねじ止めする提案がされている。
【先行技術文献】
【特許文献】
【０００３】
【特許文献１】特開２０１１−３０２１４号公報
【発明の概要】
【発明が解決しようとする課題】
【０００４】
特許文献１のように、携帯電話や携帯情報端末をアタッチメントに挟んで保持するものでは、アタッチメントに機器筐体を単に挟むだけのため、振動や衝撃によりアタッチメントから機器筐体が脱落する心配がある。
【０００５】
本発明の課題は、装着台にねじ止めするねじ穴を有し、機器筐体を挟んで保持するアタッチメントにおいて、装着台へのねじ止め状態で機器筐体を挟む保持力を高めて、機器筐体の脱落を防止することである。
【課題を解決するための手段】
【０００６】
以上の課題を解決するため、本発明の態様は、
機器筐体を挟んで保持する第１の保持部と第２の保持部を備えるアタッチメントであって、
前記機器筐体を挟む方向に付勢する弾性部材が前記第２の保持部に備えられており、
前記弾性部材は、前記第２の保持部から前記第１の保持部の方向に延びる一対の立ち上がり部を有し、前記一対の立ち上がり部の間に前記機器筐体を挟み込んで保持することを特徴とする。
【発明の効果】
【０００７】
本発明によれば、装着台へのねじ止め状態で機器筐体を挟む保持力を高めて、機器筐体の脱落を防止することができる。
【図面の簡単な説明】
【０００８】
【図１】本発明を適用したアタッチメントの一実施形態の構成を示す斜視図である。
【図２】図１のアタッチメントの構成部品を示す分解図である。
【図３】図１のアタッチメントの縦断面図で、押え板が上部に位置した状態を示す図である。
【図４】図３と同様の縦断面図で、押え板が下部に位置した状態を示す図である。
【図５】機器筐体の一例を示した斜視図である。
【図６】図５の機器筐体を開いた状態の図である。
【図７】図６の開いた状態の機器筐体を反対側から見た図である。
【図８】図７の機器筐体の表示部筐体を回動した図である。
【図９】アタッチメントに機器筐体を組み付ける仕方を示すもので、装着台も示した斜視図である。
【図１０】アタッチメントに機器筐体を組み付けて装着台にねじ止めする図である。
【図１１】装着台に装着した機器筐体を９０度開いた状態の斜視図である。
【図１２】装着台に装着した機器筐体を１８０度開いた状態の斜視図である。
【図１３】弾性部材の変形例１に用いる部品を示す斜視図（ａ）と断面図（ｂ）である。
【図１４】弾性部材の変形例２を示す断面図である。
【図１５】実施形態２のアタッチメントを示す斜視図である。
【図１６】図１５のアタッチメントを反対側から見た図である。
【図１７】図１５のアタッチメントの縦断面図である。
【図１８】アタッチメントを装着した機器筐体を９０度開いた状態の斜視図である。
【図１９】図１８のアタッチメント部分の拡大断面図である。
【図２０】機器筐体にアタッチメントを組み付けて装着台にねじ止めした状態を示す斜視図で、図１８と反対側から見た図である。
【図２１】図２０のアタッチメント部分の拡大断面図である。
【図２２】図２０の機器筐体の表示部筐体を回動した図で、図２０と反対側から見たである。
【発明を実施するための形態】
【０００９】
以下、図を参照して本発明を実施するための形態を詳細に説明する。
（実施形態１）
図１から図４は本発明を適用した一実施形態のアタッチメント１の構成を示すもので、２はフレーム、３は押え板、４はコイルバネ、５はクッションである。
【００１０】
図示のように、アタッチメント１は、フレーム２の下部に押え板３とコイルバネ４及びクッション５を組み付けて構成される。
【００１１】
すなわち、フレーム２は、カメラ筐体を上下に挟み込む上保持部２１と下保持部２２を有し、断面コ字型の下保持部２２には、横方向に貫通する一対のガイド溝２３と、上下方向に貫通するねじ穴２４が形成されている。
フレーム２は、カメラ筐体に金属面が直接触れないように、金属の芯材２ａにエラストマー２ｂをアウトサート成形して形成されていて、芯材２ａによる下保持部２２のねじ穴２４で三脚の装着台にねじ止め固定される。
【００１２】
押え板３は、フレーム２の下保持部２２の断面コ字型内に入る形状で、下方に延びて下保持部２２の側方にオーバーラップする屈曲部３１と、下保持部２２のガイド溝２３に入る一対の突部３３を有している。
この押え板３は、フレーム２の下保持部２２の断面コ字型内にコイルバネ４を介装して重ね、下保持部２２のガイド溝２３に突部３３をそれぞれ挿入して組み付けられる。この押え板３の上にクッション５が重ねられる。
【００１３】
クッション５は、弾性を有する部材からなり、押え板３の上に重なる形状で、下方に延びて押え板３の屈曲部３１の外側に重なる屈曲部５１と、上方に延びてフレーム２の金属の芯材２ａによる下保持部２２の内側に重なる一対の立ち上り部５２と、上面のリブ５３を有している。
このクッション５を押え板３に重ねて嵌めると、押え板３の横方向の動きが制限されて、フレーム２の下保持部２２の断面コ字型内から外れなくなる。
【００１４】
図３は押え板３が上部に位置した状態を示し、図示のように、押え板３とクッション５は、コイルバネ４により付勢されて上部に位置する。
図４は押え板３が下部に位置した状態を示し、クッション５に荷重がかかると、図示のように、押え板３が下方に下がる。
【００１５】
図５から図８は機器筐体の一例としてカメラ６を示したもので、６１はレンズブロック、６２は表示ブロック、６３はフレームブロック、６４は撮影レンズ、６５は表示部、６６はシャッターボタン、６７はラッチ部である。
【００１６】
図示のように、カメラ６の筐体は、撮影レンズ６４を有するレンズブロック６１と、液晶表示による表示部６５及びその隣に並ぶシャッターボタン６６を有する表示ブロック６２と、これら二つのレンズブロック６１及び表示ブロック６２の周囲を覆うコ字型の枠状フレーム形状に形成したフレームブロック６３とからなる三つのブロックにより構成されている。
【００１７】
そして、レンズブロック６１に対し表示ブロック６２とフレームブロック６３が二軸ヒンジ部を介してそれぞれ回転可能に結合されている。
すなわち、レンズブロック６１に対して、第１ヒンジ部を介して表示ブロック６２が回転可能に結合されるとともに、第２ヒンジ部を介してフレームブロック６３が回転可能に結合されている。
【００１８】
二軸ヒンジ部は、レンズブロック６１に表示ブロック６２を結合する第１ヒンジ部の回転軸線と、レンズブロック６１にフレームブロック６３を結合する第２ヒンジ部の回転軸線が互いに直交している。
【００１９】
また、図６及び図７に示すように、レンズブロック６１及び表示ブロック６２に対しフレームブロック６３が第２ヒンジ部の回転軸線を中心に回転する。
また、図８に示すように、レンズブロック６１に対し表示ブロック６２が第１ヒンジ部の回転軸線を中心に回転する。
【００２０】
具体的には、フレームブロック６３は３６０度回転し、使用時にフレームブロック６３の角度を変えることで様々なスタイルで撮影ができる。
まず、図５に示すように、フレームブロック６３でレンズブロック６１及び表示ブロック６２の周囲を覆った状態では通常のカメラスタイルで撮影ができる。
【００２１】
また、図６及び図７に示すように、フレームブロック６３をグリップしてカムコーダーのような持ち方でも撮影ができる。
なお、フレームブロック６３を開いて三脚スタンドのように立てて撮影できる。
また、フレームブロック６３のコ字型フレーム形状を活かして壁面などのフックに掛けて撮影できる。
【００２２】
ここで、通常のカメラスタイルで撮影するとき、シャッターボタン６６やその他のコントロールキーを親指で操作する際、その操作中に指で表示ブロック６２やその表示部６５の画面を押し込む力がかかりやすい。
そのとき、レンズブロック６１と反対側において、表示ブロック６２とフレームブロック６３のグラつきを防ぐために、第１ヒンジ部の回転軸線の延長線上に位置するラッチ部６７が設けられている。
【００２３】
すなわち、レンズブロック６１と反対側において、表示ブロック６２とフレームブロック６３がラッチ部６７により係合状態に保持されるため、図５に示すように、通常のカメラスタイルでシャッターボタン６６を押しても、表示ブロック６２のグラつきを防いで良好な撮影が行える。
また、その他のコントロールキーを親指で操作する際、その操作中に指で表示ブロック６２や表示部６５の画面を押し込んだときでも、表示ブロック６２のグラつきを防ぐことができる。
【００２４】
そして、図８に示すように、レンズブロック６１に対し表示ブロック６２を第１ヒンジ部の回転軸線を中心に回転させる場合は、その第１ヒンジ部の回転軸線の延長線上において、ラッチ部６７によりロック状態に保たれているため、表示ブロック６２とフレームブロック６３とのクリアランスは小さく安定している。
従って、三つのブロックにより構成されるカメラ筐体として良好な外観が得られる。
【００２５】
次に、図９はアタッチメント１にカメラ６を組み付ける仕方を示すもので、図示のように、フレーム２の下保持部２２の断面コ字型内のクッション５に、カメラ６のフレームブロック６３の下部を重ねて押し下げる。
そして、フレーム２の上保持部２１の下にフレームブロック６３の上部を押し入れる。
【００２６】
このとき、クッション５とその下の押え板３は、下方のコイルバネ４の付勢に抗して押し下げられるため、カメラ６はアタッチメント１に容易に装着される。
装着後は、コイルバネ４により付勢された押え板３がクッション５を介してカメラ６を軽く押し上げた状態に保持する。
【００２７】
その後、図１０に示すように、装着台である三脚（図示では脚を省略して台だけ示す）７の長穴７１に下方から通した三脚ねじ８を、フレーム２の下保持部２２のねじ穴２４にねじ込んで固定する。
このとき、三脚ねじ８の先端部が押え板３に当接して少し押し上げるようなサイズに各部を設計しておくことにより、クッション５がカメラ６により圧接されて強固に保持できる。また、押え板３が下がらないように固定されるので、カメラ６が外れにくくなり、確実に保持できる。
【００２８】
図１１は三脚７に装着したフレームブロック６３からレンズブロック６１及び表示部ロック６２を９０度開いた状態を示し、図１２は同じく１８０度開いた状態を示している。
【００２９】
このように、アタッチメント１を介してカメラ６を三脚７に装着した状態において、アタッチメント１に保持したフレームブロック６３からレンズブロック６１及び表示部ロック６２を１８０度開いた状態まで、レンズブロック６１及び表示部ロック６２とも、アタッチメント１の影響を受けることなく使用できる。
【００３０】
また、アタッチメント１に装着状態のカメラ６は、下方のコイルバネ４の付勢に抗して押し下げることで、フレーム２の上保持部２１の下からフレームブロック６３の上部を引き出して容易に取り外すことができる。
【００３１】
以上、実施形態のカメラ６のアタッチメント１によれば、ねじ穴２４による三脚７へのねじ止め状態でカメラ６を挟む保持力を高める方向に付勢するクッション５を、下保持部２２に設けたことで、三脚７へのねじ止め状態でカメラ６を挟む保持力を高めて、カメラ６の脱落を防止することができる。
【００３２】
すなわち、実施形態では、三脚ねじ８のねじ長が少し長いときには、押え板３を押し上げることになり、これに伴って、クッション５がカメラ６により圧接されて強固に保持できる。しかも、押え板３が下がらなくなるので、カメラ６が外れなくなり、確実に保持できる。
そして、三脚７から外した状態では、アタッチメント１に対しカメラ６を容易に着脱することができる。
なお、フレームブロック６３の下にはクッション５があるため、フレームブロック６３が三脚７に直接触れることがなく、傷が付かない。
【００３３】
（変形例１）
図１３は弾性部材の変形例１に用いる板状部品１０を示すもので、図示のように、板状部品１０には、上側に円形の凸部１１が形成されて、下側に円形の凹部１２が形成されている。
【００３４】
変形例１では、図２において、下保持部２２の上面の円筒状の凸部を無くして平面にして、図１３に示したような板状部品１０を、下保持部２２とコイルバネ４との間に載置する。
この板状部品１０は、上側の円形の凸部１１にコイルバネ４が緩々の状態ではまる。また、下側の円形の凹部１２は、三脚ねじ８の径より少し大きめに形成されている。
【００３５】
このような板状部品１０を用いることで、ねじ穴２４に三脚ねじ８をねじ込むと、板状部品１０が突き上げられ、コイルバネ４も上方に押しやられる。そうすると、コイルバネ４が圧縮されるので、カメラ６の保持力がより高まる。
【００３６】
以上、ねじ穴２４による三脚７へのねじ止め状態でカメラ６を挟む保持力を高める方向に付勢するコイルバネ（弾性部材）４を、下保持部２２に設けることで、三脚７へのねじ止め状態でカメラ６を挟む保持力を高めて、カメラ６の脱落を防止することができる。
【００３７】
（変形例２）
図１４は弾性部材の変形例２を示すもので、図示のように、アタッチメント１のフレーム２の下保持部２２の断面コ字型内に、弾性部材として板バネ２５を一体成形して備えて、押え板３を上方へ付勢する構成としてもよい。
【００３８】
（実施形態２）
図１５から図１７は実施形態２のアタッチメント９を示すもので、９１は下保持部、９２は上保持部、９３はガイド突部、９４はリブ、９５はねじ穴である。
【００３９】
図示のように、アタッチメント９は、弾性を有する樹脂、例えばＡＢＳ、ＰＯ、ＰＣ等の単一部品で成形されて本体部から側方に突出する薄肉の下保持部９１と、厚肉の上保持部９２を備える。
【００４０】
上保持部９２は、先端に下方へのガイド突部９３を有して、下面にリブ９４を有している。
そして、アタッチメント９の本体部には、下面に開口するねじ穴９５が形成されている。
【００４１】
図１８はアタッチメント９を装着したカメラ６を示すもので、図示例は、アタッチメント９に装着したフレームブロック６３からレンズブロック６１及び表示部ロック６２を９０度開いた状態である。
【００４２】
図１９はそのアタッチメント９部分の拡大断面を示し、図示のように、アタッチメント９の下保持部９１と上保持部９２の間にフレームブロック６３のレンズブロック６１側の下部端が挿入されると、アタッチメント９の本体部とガイド突部９３によりフレームブロック６３の横方向が規制される。
【００４３】
このとき、フレームブロック６３の高さより下保持部９１と上保持部９２のリブ９４の間隔の方が狭くなっているため、図示のように、下保持部９１が押し下げられる。
この押し下げられた下保持部９１の弾性変形による反力によって、アタッチメント９はフレームブロック６３の下部端に装着される。
【００４４】
図２０はカメラ６のフレームブロック６３の下部にアタッチメント９を装着して三脚７にねじ止めした状態を示す。
【００４５】
図２１はそのアタッチメント９部分の拡大断面を示し、図示のように、三脚７の長穴７１に下方から通した三脚ねじ８を、アタッチメント９の本体部のねじ穴９５にねじ込んで固定すると、下保持部９１は三脚７の上面に倣い、元の形状、すなわち、平面に戻る。
【００４６】
また、上保持部９２は、フレームブロック６３の下部端によりリブ９４で押し上げられる。
この押し上げられた上保持部９２の弾性変形による反力によって、アタッチメント９はフレームブロック６３の下部端に強い力で装着された状態になる。
【００４７】
このとき、フレームブロック６３の下にはアタッチメント９の下保持部９１があるため、フレームブロック６３が三脚７に直接触れることがなく、傷が付かない。
【００４８】
また、カメラ６に装着状態のアタッチメント９は、その下保持部９１及び上保持部９２をフレームブロック６３の下部端から容易に取り外すことができる。
【００４９】
図２２はカメラ６の表示部ブロック６２を回動した状態を示している。
【００５０】
以上、実施形態２のアタッチメント９によれば、ねじ穴９５による三脚７へのねじ止め状態でカメラ６を挟む保持力を高める方向に付勢する上保持部９２を備えることで、三脚７へのねじ止め状態でカメラ６を挟む保持力を高めて、カメラ６の脱落を防止することができる。
【００５１】
そして、カメラ６に対しアタッチメント９を容易に着脱することができる。
また、アタッチメント９は、小型で単一部品のため、安価に製作でき、携帯性もよい。
【００５２】
（他の変形例）
以上の実施形態においては、カメラとしたが、本発明はこれに限定されるものではなく、カメラを備える携帯電話など他の電子機器であってもよい。
また、機器筐体、アタッチメントの形状等も任意であり、その他、具体的な細部構造等についても適宜に変更可能であることは勿論である。
【００５３】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
装着台にねじ止めするねじ穴を有し、機器筐体を挟んで保持する保持部を備えるアタッチメントであって、
前記保持部に、当該アタッチメントの前記ねじ穴による前記装着台へのねじ止め状態で前記機器筐体を挟む保持力を高める方向に付勢する弾性部材を設けたことを特徴とするアタッチメント。
＜請求項２＞
前記弾性部材は、前記保持部と機器筐体との間に介装されることを特徴とする請求項１に記載のアタッチメント。
＜請求項３＞
前記保持部に、前記機器筐体の外周部を構成する枠状フレームの平行部が挟み込んで保持されることを特徴とする請求項２に記載のアタッチメント。
＜請求項４＞
前記弾性部材は、前記保持部に一体に形成されていることを特徴とする請求項１に記載のアタッチメント。
＜請求項５＞
前記保持部に、前記機器筐体の外周部を構成する枠状フレームの一部が挟み込んで保持されることを特徴とする請求項４に記載のアタッチメント。
【符号の説明】
【００５４】
１  アタッチメント
２  フレーム
２ａ  芯材
２ｂ  エラストマー
２１  上保持部
２２  下保持部
２３  ガイド溝
２４  ねじ穴
２５  弾性部材（板バネ）
３  押え板
３１  屈曲部
３３  突部
４  コイルバネ（弾性部材）
５  弾性部材（クッション）
５１  屈曲部
５２  立ち上り部
５３  リブ
６  機器筐体
６１  レンズブロック
６２  表示ブロック
６３  フレームブロック（枠状フレーム）
６４  撮影レンズ
６５  表示部
６６  シャッターボタン
６７  ラッチ部
７  装着台
７１  長穴
８  ねじ
９  アタッチメント
９１  下保持部
９２  上保持部（弾性部材）
９３  ガイド突部
９４  リブ
９５  ねじ穴
１０  板状部品
１１  凸部
１２  凹部
【図１】
0005998555.tif 000002
【図２】
0005998555.tif 000003
【図３】
0005998555.tif 000004
【図４】
0005998555.tif 000005
【図５】
0005998555.tif 000006
【図６】
0005998555.tif 000007
【図７】
0005998555.tif 000008
【図８】
0005998555.tif 000009
【図９】
0005998555.tif 000010
【図１０】
0005998555.tif 000011
【図１１】
0005998555.tif 000012
【図１２】
0005998555.tif 000013
【図１３】
0005998555.tif 000014
【図１４】
0005998555.tif 000015
【図１５】
0005998555.tif 000016
【図１６】
0005998555.tif 000017
【図１７】
0005998555.tif 000018
【図１８】
0005998555.tif 000019
【図１９】
0005998555.tif 000020
【図２０】
0005998555.tif 000021
【図２１】
0005998555.tif 000022
【図２２】
0005998555.tif 000023